(57)【要約】【課題】本発明は、髪留め具であって、従来の髪留め具は、髪留め具に装飾体を接着剤により接着させ、固定された形状が一般的である。そこで、髪留め具に透孔を設け、装飾体を着脱可能にすることで、自分の好みに合わせて使い分けでき、髪留め具より香りを漂わせる機能を設け、更に、頭髪の蒸れを解消できる、付加価値の高い髪留め具を提供する。【解決手段】互いに開閉可能な髪挟持板を備え、髪を挟持するように構成された髪留め具の髪挟持板に複数の透孔を設け、装飾体裏面に、柔軟材より成る着脱用凸部材を備え、複数の透孔に挿通することで、装飾体が着脱可能となり、種類の異なる複数の装飾体を自由に、自分の好みに応じて付け替える機能を設ける。また、髪留め具より香りを漂わせる、香り材を備える機能を兼ね備え、更に、複数の透孔を通気孔として、頭髪の蒸れを解消できる髪留め具。【選択図】図４
2019150226.tif 000002
【特許請求の範囲】
【請求項１】
互いに開閉可能な髪挟持板を備え、髪を挟持するよう構成された髪留め具であって、前記髪挟持板に複数の透孔を備えた髪留め具。
【請求項２】
互いに開閉可能に構成され、髪を挟持するよう構成された髪留め具本体と、上記透孔に着脱可能に取付けられる装飾体を備えた髪留め具。
【請求項３】
互いに開閉可能に構成され、髪を挟持するよう構成された髪留め具本体と、上記透孔に着脱可能に装着される香り成分を含有する香り材とを備えた髪留め具。
【請求項４】
装飾体の裏側に柔軟材より成る凸部材が装着され、上記凸部材が上記透孔に装着される請求項２記載の髪留め具。
【発明の詳細な説明】
【技術分野】
【０００１】
本発明は、髪留め具に関するものである。
【背景技術】
【０００２】
従来の髪留め具は、髪を結束し挟み留める機能と、ヘアーアレンジした髪型に装飾品として使用されることが主な使用用途であった（特許文献１参照）。
【０００３】
また、従来の髪飾りは、髪留め具に装飾体を接着剤により接着させ、固定された形状が一般的である。
【０００４】
従って、装飾品として使用する場合は、形状やデザインの異なる装飾体の髪留め具を、複数個購入することになる（特許文献２参照）・（特許文献３参照）。  
【先行技術文献】
【特許文献】
【０００５】
【特許文献１】実登３０３６９４６号公報
【特許文献２】実登３１２７１９２号公報
【特許文献３】実登３０１３７５１号公報
【発明の概要】
【発明が解決しようとする課題】
【０００６】
髪留め具が壊れた際、髪留め具と装飾体が接着剤で固定されているため、装飾体は損傷が無く使用可能でも、使用することができず、破棄することになり不経済である。
【０００７】
また、ヘアーアレンジの髪型により、使用する髪留め具の形状も使い分ける必要があるが、好みの装飾体であっても、髪留め具の形状が使用目的の髪型に合わない場合、使用することができず、選択の幅が狭まる。
【０００８】
さらに、髪留め具と装飾体が一体であるため、頭皮や整髪料の汚れが付着した場合、装飾体の素材が布等の場合は、髪留め具を洗浄することができず、不衛生である。
【０００９】
本発明は、このような問題点を解決し、１つの髪留め具で、多様な付加価値を選択的に提供することができるような、髪留め具を提供しようとするものである。
【課題を解決するための手段】
【００１０】
本発明は、互いに開閉可能な髪挟持板を備え、髪を挟持するように構成された髪留め具であって、前記髪挟持板に、複数の透孔を設けた。
【００１１】
また、本発明では、髪留め具の髪挟持板に設けられた複数の透孔に、着脱可能に取付けられる装飾体を備える。
【００１２】
また、本発明では、髪留め具の髪挟持板に設けられた複数の透孔に、着脱可能に装着される、香り成分を含有する香り材を備えることで、香りを漂わせる機能を兼ね備える。
【００１３】
また、本発明では、装飾体裏側に、柔軟材で形成された着脱用凸部材を装着し、髪挟持板に設けられた複数の透孔に挿通させることで、髪留め具本体と装飾体を着脱可能にする機能を備える。
【発明の効果】
【００１４】
髪挟持板に複数の透孔を設けることにより、この透孔に、付加価値を付加するための様々な部材を着脱可能に取り付けることができ、多様な付加価値を備えた髪留め具を提供する。
【００１５】
また、髪挟持板に複数の透孔を設けることで、髪留め具と装飾体を着脱可能にすることができ、髪留め具を１個購入すれば、装飾体のみ複数保有して、TPOに合わせて使い分けできるため、自分の好みに合う装飾体を自由に選ぶことができる。
【００１６】
髪留め具と装飾体を着脱可能とすることで、髪留め具が壊れても、装飾体は使用できるため、再度、髪留め具のみを購入すれば、長期使用が可能である。
【００１７】
ヘアーアレンジの髪型により、使用する髪留め具の種類を変更しても、容易に好みの装飾体に変更して、付け替えることができる。
【００１８】
また、髪挟持板に設けられた複数の透孔に、香り材を挿通して設置することで、直接、髪に香り剤を塗布せず、髪留め具に良い香りを漂わせることができる。
【００１９】
髪留め具と装飾体を分離することで、髪留め具に付着した、頭皮や整髪料等の汚れを洗浄することができ、衛生的である。
【００２０】
髪挟持板に設けられた複数の透孔が、空いたままの状態で使用する際は、通気性を良くする、通気孔として機能し、髪を挟持した際、頭髪の蒸れを解消でき、装着感が向上する。
【図面の簡単な説明】
【００２１】
【図１】本発明の実施形態を示す、髪留め具の斜視図である。
【図２】同斜視図で、髪留め具に、装飾体を装着した図である。
【図３】同斜視図で、髪留め具に、香り材を装着した図である。
【図４】同斜視図で、髪留め具に、装飾体と香り材を装着した図である。
【図５】同斜視図で、髪留め具に、別の装飾体を装着した図である。
【図６】同斜視図で、別の香り材を示す図である。
【図７】同斜視図で、さらに別の装飾体と香り材を髪留め具に取付けた状態           を示す図である。
【図８】同実施形態を示す斜視図で、着脱用凸部材を示す拡大図である。
【図９】同実施形態を示す断面図で、着脱用凸部材を示す拡大図である。
【発明を実施するための形態】
【００２２】
以下、本発明を実施するための形態について、図を用いて説明する。
図１において、１,２は髪挟持板であり、それぞれの一端側に係止具６,７がそれぞれ設けられている。髪挟持板１の他端側には、軸受部３が一体に突設され、同様に、髪挟持板２の他端側には、２つの軸受部４A,４B(図示せず)がそれぞれ一体に突設されている。軸受部４A,４Bの間に軸受部３を配置し、軸受部４A,４Bに開設された孔部９A,９B（図示せず）と、軸受部３に開設された孔部８（図示せず）に、回動軸５を挿通して固定させることにより、連結するよう構成されている。髪を挟持する際は、髪挟持板１と髪挟持板２の間に髪を挟み、髪挟持板１に設けられた係止具６と、髪挟持板２に設けられた係止具７を、互いにねじり合わせて固定する。
【００２３】
髪挟持板１には、複数の透孔１０A,１０B,１０C,１０Dを、同様に、髪挟持板２には、複数の透孔１１A,１１B,１１C,１１Dをそれぞれ設け、透孔１０A,１０B,１０C,１０D,１１A,１１B,１１C,１１Dは、装飾体を着脱可能にする結合部とする。髪挟持板１の内方向の一端部に、櫛状に配列された複数の棒状突起１２が設けられ、髪挟持板２の内方向の一端部にも、櫛状に配列された複数の棒状突起１３が設けられ、頭髪を挟持した際、これらの棒状突起１２,１３が、頭髪の毛束に食い込み、ずれ落ち防止用として機能するよう構成されている。
【００２４】
図２は、一対の髪挟持板に装飾体を取付けた例を示すものである。４つの装飾体１４A,１４B,１４C,１４Dの裏面には、それぞれ着脱用凸部材１５を備え、一対の髪挟持板１に設けられた複数の透孔１０B,１０Cと、同様に、髪挟持板２に設けられた複数の透孔１１B,１１Cに、着脱用凸部材１５をそれぞれ挿通して固定する。着脱用凸部材１５が挿通されていない、複数の透孔１０A,１０D,１１A,１１Dは、そのまま空いた状態であり、通気性をよくする通気孔として機能する。
【００２５】
図３は、他の実施形態を示すものであり、一対の髪挟持板１および２に、それぞれ香り材を取付けたものである。それぞれ８つの香り材１６は、髪挟持板１に設けられた複数の透孔１０A,１０B,１０C,１０Dに、同様に、髪挟持板２に設けられた複数の透孔１１A,１１B,１１C,１１Dに、それぞれ挿通して固定する。
【００２６】
香り材１６は、厚手の濾紙で形成されており、香水やアロマスプレーなどの液体の香り剤を、濾紙に含ませ、複数の透孔１０A,１０B,１０C,１０D,１１A,１１B,１１C,１１Dに挿通して設置させることで、香りを漂わせることができる。香り材１６は消耗品であり、異なる香りに変更する際には、新しい濾紙に、香りの異なる香水やアロマスプレー等の液体の香り剤を含ませるだけで、簡単に、好みの香りに変えることができる。濾紙の形状は、髪挟持板に設けられた透孔より、若干大きいサイズの円形で、簡単に、透孔に挿通することができる。
【００２７】
図４の例では、図２に示す実施形態において、更に、香り材を設置した状態を示すものである。髪挟持板１に設けられた透孔１０B,１０Cに装飾体１４A,１４Bを、透孔１０A,１０Dに香り材１６をそれぞれ配置し、同様に、髪挟持板２に設けられた透孔１１B,１１Cに装飾体１４C,１４Dと、透孔１１A,１１Dに、香り材１６をそれぞれ配置することで、装飾体を着脱可能にするとともに、香を漂わせる機能を兼ね備える。
【００２８】
図５の例は、髪挟持板１に６個の装飾体１７を取付け、さらに、髪挟持板２にも、６個の装飾体１７を取付けたものである。１２個の装飾体１７の裏面には、それぞれ着脱用凸部材１５を備え、髪挟持板１に設けられた複数の透孔１０E,１０F,１０G,１０H,１０I,１０Jに、着脱用凸部材１５を、それぞれ挿通して固定する。同様に、髪挟持板２に設けられた、複数の透孔１１E,１１F,１１G,１１H,１１I,１１Jに、着脱用凸部材１５を、それぞれ挿通して固定する。
【００２９】
図６は、髪留め具より香りを漂わせるために設置する、別の香り材を示すものである。芳香紙１８Aには、複数の透孔２１が設けられており、装飾体と髪挟持板の間に挟むよう設置され、装飾体の裏面に設けられた着脱用凸部材１５を、芳香紙１８Aに設けられた複数の透孔２１と、髪挟持板１，２に設けられた複数の透孔１０E,１０G,１０J,１１E,１１G,１１Jに、挿通して固定する。芳香紙１８Aは、紙素材で構成され、香水やアロマスプレーなどの液体を霧状に吹付けることで、芳香紙に染み込み、長時間香りが保持されるものである。
【００３０】
芳香紙１８Aは紙素材であるため、使用する髪留め具の形状に合わせて、容易に形成することができ、装飾体を装着させる着脱用凸部材１５を挿通する箇所にだけ、芳香紙１８Aに透孔２１を設けることで、簡単に、装飾体と髪挟持板の間に設置し、挟み留めることができる。また、芳香紙１８Aは、紙素材の消耗品であり、異なる香りに変更する際には、新しい芳香紙に、香りの異なる香水やアロマスプレーを吹き付けるだけで、簡単に、好みの香りに変えることができる。
【００３１】
図７は、髪留め具に、着脱可能な装飾体と芳香紙を、取付けた例を示すものである。髪挟持板１に、複数の透孔１０E,１０F,１０G,１０H,１０I,１０Jを設け、同様に、髪挟持板２に、複数の透孔１１E,１１F,１１G,１１H,１１I,１１Jを設ける。着脱可能な装飾体１９Aの裏側に、芯部材２０Aを接合し、複数の着脱用凸部材１５を取付ける。同様に、着脱可能な装飾体１９Bの裏側に、芯部材２０Bを接合し、複数の着脱用凸部材１５を取付ける。装飾体１９Aと髪挟持板１の間に、芳香紙１８Aを挟み、芳香紙１８Aに設けられた複数の透孔２１と、髪挟持板１に設けられた複数の透孔１０E,１０G,１０Jに、複数の着脱用凸部材１５を、それぞれ挿通し固定する。同様に、装飾体１９Bと髪挟持板２との間に、芳香紙１８Bを挟み、芳香紙１８Bに設けられた複数の透孔２１と、髪挟持板２に設けられた複数の透孔１１E,１１G,１１Jに、複数の着脱用凸部材１５を、それぞれ挿通し固定する。
【００３２】
その際、装飾体に取付けられた着脱用凸部材１５が挿通されていない、一対の髪挟持板１,２にそれぞれ設けられた複数の透孔１０F,１０H,１０I,１１F,１１H,１１Iは、それぞれ空いたままの状態であり、一対の髪挟持板の外側に設置された、それぞれの芳香紙１８A,１８Bから、これらの透孔１０F,１０H,１０I,
１１F,１１H,１１Iを通して香りを漂わせる事ができる。
【００３３】
このように、髪挟持板１,２それぞれに、複数の透孔１０A,１１A等を設けることにより、装飾体の種類や個数を自由に、自分の好みに合うよう、いかようにもアレンジする事ができ、髪留め具の装飾品としてのデザイン性と機能性を兼ね備えた上、さらに、香りを漂わせる髪留め具として、付加価値を提供する事ができる。
【００３４】
図８,図９は、着脱用凸部材の詳細を示すものであり、装飾体１４A,１７,１９A等の素材は、布などの柔らかな素材からガラス製品などの硬い素材に対応できるよう、クッション性や伸縮性のあるシリコン素材やシリコンゴム素材等の柔軟材を使用し、着脱用凸部材１５の先端部分に縦に亀裂を設けることで、内側に縮むことにより簡単に、一対の髪挟持板１，２それぞれに設けられた複数の透孔
１０A,１１A等それぞれに挿通すことができ、また、複数の透孔１０A,１１A等に装着した際、着脱用凸部材１５の先端が開くことにより固定できる。
【００３５】
髪留め具の装飾体１４A,１７,１９A等は、装飾体裏面に設けられた着脱用凸部材１５を、一対の髪挟持板１,２それぞれに設けられた複数の透孔１０A,１１A,等に挿通することで、簡単に着脱可能にし、デザイン性の観点から、種類の異なる装飾体を自由に、自分の好みに合うよう、使用目的に応じて、付け替えることができる。
【００３６】
髪留め具から、香りを漂わせる機能として、図４に示す実施形態ように、一対の髪挟持板１,２にそれぞれ設けられた複数の透孔１０A,１０D,１１A,１１Dに、香り材１６を挿通し固定する方法や、図7に示す実施形態のように、装飾体１９A,１９Bと一対の髪挟持板１,２それぞれの間に、芳香紙１８A,１８Bを設置し、装飾体１９A,１９Bの裏面に設けられた着脱用凸部材１５で、芳香紙１８A,１８Bに設けられた複数の透孔２１と、髪挟持板１,２に設けられた複数の透孔１０E,１０G,１０J,１１E,１１G,１１J等に、挿通して固定する方法により、髪留め具から香りを漂わせるができ、香り材１６や芳香紙１８A,１８Bを取り替えるだけで、容易に好みの香りに変更することができる。
【００３７】
特に、香りを付けない場合は、図２で示す実施形態のように、香り材１６を設置せずに、装飾体１４A,１４B,１４C,１４Dのみを装着することもできる。その際、髪挟持板１,２にそれぞれ設けられた、空いたままの状態の透孔１０A,１０D,１１A,１１Dは、通気性を良くする通気孔として機能する。同様に、図7に示す実施形態でも、芳香紙１８A,１８Bを設置せずに、装飾体１９A,１９Bを装着することもできる。その際、髪挟持板１,２にそれぞれ設けられた、空いたままの状態の透孔１０F,１０H,１０I,１１F,１１H,１１Iは、通気性を良くする通気孔として機能する。また、香りの強弱を調整するため、一対の髪挟持板１,２それぞれに、香り材１６や芳香紙１８A,１８Bを配置することも、または、どちらか一方にのみ配置することもできる。
【００３８】
装飾体１４A,１７,１９A等の裏面に設けられた着脱用凸部材１５を、軽量かつクッション性のあるシリコン素材やシリコンゴム素材等の柔軟材を使用することで、髪留め具全体の総重量が軽量化され、髪留め具の結束力が弱まることがない。
【００３９】
また、着脱用凸部材１５をシリコン素材やシリコンゴム素材等の柔軟材を使用することで、装飾体１４A,１７,１９A等の素材に関係なく取付け可能であり、着脱の際、装飾体に係る負荷を軽減できる。例えば、装飾体の素材には、布製品や宝飾品、ガラス装飾物など、あらゆる素材の使用が可能である。
【００４０】
機能性の観点から、髪留め具と装飾体を着脱可能とすることで、髪留め具が壊れても、装飾体は使用できるため、再度、髪留め具のみを購入すれば、長期使用が可能であり経済的である。
【００４１】
従って、髪留め具を１個購入すれば、装飾体のみ複数保有して、TPOに合わせて使い分けできるため、装飾体の種類を自由に選ぶことができる。また、ヘアーアレンジの髪型により、使用する髪留め具の種類を変更しても、容易に好みの装飾体を変更して、付け替えることができる。
【００４２】
さらに、髪留め具と装飾体を分離することで、髪留め具に付着した、頭皮や整髪料等の汚れを洗浄することができ、衛生的である。
【００４３】
髪挟持板に、複数の透孔を設けることにより、通気性が良くなり、髪を挟持した際、頭髪の蒸れを解消でき、装着感が向上する。
【００４４】
以上の実施形態では、図１で示す髪留め具の形状を用いて例示したが、髪留め具の形状は、あらゆる形状全般が含まれるものとし、これに限定されない。
【符号の説明】
【００４５】
１,２              髪挟持板
３                 軸受部
４A,４B            軸受部
５                 回動軸
６,７              係止具
８                 孔部
９A,９B            孔部
１０A,１０B,１０C  透孔
１０D,１０E,１０F  透孔
１０G,１０H,１０I  透孔
１０J              透孔
１１A,１１B,１１C  透孔
１１D,１１E,１１F  透孔
１１G,１１H,１１I  透孔
１１J              透孔
１２,１３          棒状突起
１４A,１４B,１４C  装飾体
１４D              装飾体
１５               着脱用凸部材
１６               香り材
１７               装飾体
１８A,１８B        芳香紙
１９A,１９B        装飾体
２０A,２０B        芯部材
２１               透孔
【図１】
2019150226.tif 000003
【図２】
2019150226.tif 000004
【図３】
2019150226.tif 000005
【図４】
2019150226.tif 000006
【図５】
2019150226.tif 000007
【図６】
2019150226.tif 000008
【図７】
2019150226.tif 000009
【図８】
2019150226.tif 000010
【図９】
2019150226.tif 000011